(57)【要約】  本発明に係る人工寛骨臼は、寛骨臼カップ（１２）と、寛骨臼カップ（１２）の内部に安定して連結されるとともに、大腿骨頭（５１）を受けるよう構成された寛骨臼インサート（１１）と、寛骨臼カップ（１２）に寛骨臼インサート（１１）の挿入及び安定的な位置決めを案内するとともに中心合わせする構成されたセンタリングユニット（３３）とを有する。センタリングユニット（３３）は、寛骨臼カップ（１２）に形成されたセンタリング孔（２７）と、寛骨臼インサート（１１）に設けられ、センタリング軸心（Ｘ）に沿って延伸し、センタリング孔（２７）に挿入されているセンタリングピン（１８）とを備える。センタリングピン（１８）は、センタリング軸心（Ｘ）に沿ってうねり延伸した形状を有する外側面（２９）を備える。
2016518238.tif 000002
【特許請求の範囲】
【請求項１】
寛骨臼カップ（１２）と、
前記寛骨臼カップ（１２）の内部に安定して連結されるとともに、大腿骨頭（５１）を受けるよう構成された寛骨臼インサート（１１）と、
前記寛骨臼カップ（１２）に前記寛骨臼インサート（１１）の挿入および安定的な位置決めを案内するとともに中心合わせするよう構成されたセンタリングユニット（３３）であって、前記寛骨臼カップ（１２）に形成されたセンタリング孔（２７）と、前記寛骨臼インサート（１１）に設けられ、センタリング軸心（Ｘ）に沿って延伸し、前記センタリング孔（２７）に挿入されているセンタリングピン（１８）とを備えるセンタリングユニット（３３）とを有する人工寛骨臼であって、
前記センタリングピン（１８）が、前記センタリング軸心（Ｘ）に沿ってうねり延伸した形状を有する外側面（２９）を備え、前記外側面（２９）が少なくとも１つの凹部（１９）とそれに続く少なくとも１つの凸部（２１）とを含み、前記凹部（１９）が接続曲げ部（２０）によって前記凸部（２１）に連続して接続されることを特徴とする人工寛骨臼。
【請求項２】
前記センタリングピン（１８）が前記寛骨臼インサート（１１）から外側に突出し、前記凹部（１９）が前記寛骨臼インサート（１１）から延伸し、前記凸部（２１）が前記寛骨臼インサート（１１）に関し前記凹部（１９）の下流にあることを特徴とする請求項１に記載の人工寛骨臼。
【請求項３】
前記凸部（２１）が前記センタリングピン（１８）のうちで最も広い部分となる大径（ｒｌ）を有し、前記凹部（１９）が前記大径（ｒｌ）よりも小さい小径（ｒ２）を有することを特徴とする請求項１または２に記載の人工寛骨臼。
【請求項４】
前記寛骨臼インサート（１１）及び前記寛骨臼カップ（１２）が前記センタリング軸心（Ｘ）を中心にほぼ軸対称となっていることを特徴とする請求項１から３のいずれか一項に記載の人工寛骨臼。
【請求項５】
前記センタリングピン（１８）が前記寛骨臼インサート（１１）の中心域（１７）に設けられるとともに、前記センタリング孔（２７）が前記寛骨臼カップ（１２）の中心域（３７）に設けられることを特徴とする請求項１から４のいずれか一項に記載の人工寛骨臼。
【請求項６】
前記寛骨臼インサート（１１）が前記寛骨臼カップ（１２）と円錐状に連結するよう構成されていることを特徴とする請求項１から５のいずれか一項に記載の人工寛骨臼。
【請求項７】
前記寛骨臼インサート（１１）が、少なくとも部分的に切頭円錐形状であるインサート外面（１３）を備えるとともに、前記寛骨臼カップ（１２）が、前記インサート外面（１３）に沿う寛骨臼カップ内面（２４）を備え、前記寛骨臼カップ内面（２４）が少なくとも部分的に切頭円錐形状であることを特徴とする請求項６に記載の人工寛骨臼。
【請求項８】
前記インサート外面（１３）が、円錐台環状帯部（１３ａ）と、この円錐台環状帯部（１３ａ）から延出するキャップ状部（１３ｂ）とを含み、前記寛骨臼カップ内面（２４）が、円錐台環状帯部（２４ａ）と、この円錐台環状帯部（２４ａ）から延出するキャップ状部（２４ｂ）とを含むことを特徴とする請求項７に記載の人工寛骨臼。
【請求項９】
前記センタリング孔（２７）が隠し孔または貫通孔であることを特徴とする請求項１から８のいずれか一項に記載の人工寛骨臼。
【請求項１０】
前記センタリング孔（２７）が、
前記センタリング軸心（Ｘ）に沿った一定の半径（Ｒ）を有する、特に筒状の断面；
特に先細りまたは先広がりの切頭円錐形状；
曲線状；
凸部／凹部；
直線と曲線の混合組み合わせ；
からなるグループから選択される形状を備えていることを特徴とする請求項１から９のいずれか一項に記載の人工寛骨臼。
【請求項１１】
人工寛骨臼（１０）の寛骨臼カップ（１２）の内部に安定して連結され、大腿骨頭（５１）を受けるよう構成された寛骨臼インサート（１１）であって、
センタリング軸心（Ｘ）に沿って延伸しているセンタリングピン（１８）を有し、前記寛骨臼カップ（１２）に前記寛骨臼インサート（１１）の挿入および安定的な位置決めを案内するとともに中心合わせするように構成されたセンタリングユニット（３３）を規定するように、前記センタリングピン（１８）が前記寛骨臼カップ（１２）のセンタリング孔（２７）に挿入されているように構成されており、
前記センタリングピン（１８）が、前記センタリング軸心（Ｘ）に沿ってうねり延伸した形状を有する外側面（２９）を備え、前記外側面（２９）が少なくとも１つの凹部（１９）とそれに続く少なくとも１つの凸部（２１）とを含み、前記凹部（１９）が接続曲げ部（２０）によって前記凸部（２１）に連続して接続されることを特徴とする寛骨臼インサート（１１）。
【発明の詳細な説明】
【技術分野】
【０００１】
本発明は、人工股関節部に用いられ、寛骨臼カップと、寛骨臼カップに位置決めされる寛骨臼インサートとを備えるとともに、大腿骨頭及び対応する大腿骨頭を関節連結することができる人工寛骨臼に関する。
【背景技術】
【０００２】
人工股関節部の分野においては、人工大腿骨を位置決めして関節結合するために、寛骨臼カップと寛骨臼インサートを半球状の空洞部を設けて連結することにより形成される人工装具が公知である。
【０００３】
寛骨臼カップの内部へのインサートの固定は、例えば、通常は寛骨臼カップの内面と寛骨臼インサートの外面とを円錐状に連結することによって行われ、これにより、適切に安定した接続が実質的に可能になる。
【０００４】
これらの実施例の考えられる不都合な点の１つとして、人工装具を挿入する外科手術の際、空間や視認性が、常に寛骨臼カップにインサートを簡単適切に位置決めできるような状態にはないということがある。実際、円錐状連結の際に自動的にセンタリングされるのは、正確な中心合わせ位置に対する角度のズレが非常に小さい場合に限られており、この角度のズレが大きくなると、寛骨臼カップとインサート間で位置ズレが生じるのが普通である。その結果、連結はできても、不適切な場合、患者にとって、例えば脱臼や、インサートが脆弱な材料でできている場合はその破損や、再度寛骨臼カップが露出したりなど、重大な結果となりかねない。
【０００５】
他の不都合な点としては、寛骨臼カップを骨盤に装着する際に、寛骨臼カップの材料が変形して、インサートが適切に連結されず、その結果、位置ズレが生じる可能性がある。
【０００６】
また、インサートを位置決めしやすくするために、センタリングピンと、寛骨臼カップにセンタリング孔を設けることも知られている。
【０００７】
センタリングピンとセンタリング孔との組み合わせによって、センタリングの案内が可能になり、位置決め作業中に、寛骨臼カップとインサートとの接触面を中心合わせできる。
【０００８】
通常、センタリングピンとセンタリング孔との間には最小限の直径差が設けられ、ピンがセンタリング孔に挿入できるようにするとともに、製造許容差が生じる。直径差が小さいほど、挿入時の不適切な位置決めの可能性も小さくなる。
【０００９】
センタリング孔とピンを備える場合の考えられる不都合な点の１つは、インサートが例えばセラミック材などの脆弱な材料で作られている場合に特に重要となるのであるが、インサートの表面と接触するピンの縁部が破損したり欠損しやすくなるということである。
【００１０】
この不都合は、特に、寛骨臼カップの内面近傍でピンがセンタリング孔の縁部と接触するときに起こる可能性がある。
【００１１】
例えば米国特許出願公開第２０１２／０１０１５９０号（特許文献１）から公知の人工装具は、寛骨臼カップ用のインサートを有しており、インサートの外側から内側へ先細りとなる逆円錐形状または切頭円錐形状のセンタリングピンを備えており、センタリングピンの縁部はインサートの表面に接しているとともに丸くなっている。インサートの中心側に面する端部におけるセンタリングピンの直径は、インサートの中心の反対側に面する案内ピンの端部の直径より小さい。センタリング孔は、寛骨臼カップの内側から外側に向かって先細りとなる形状でもよい。
【００１２】
米国特許第７，２６７，６９３号（特許文献２）も公知であり、寛骨臼カップをライニングするためのクランプリングを記載している。寛骨臼カップは頂部に孔を備えており、この孔は上部ライニングコーン部材で塞がれて、寛骨臼カップの内部にクランプリングによって固定される。
【００１３】
この実施例の考えられる不都合の１つは、上向けに反転した円錐形状であっても、例えば、センタリングピンがすでに対応する孔の内側にある場合にインサートの傾斜が突然変化することによって、欠損する可能性があるということである。
【００１４】
この実施形態の別の考えられる不都合は、ピンと孔の接触面がピンとハウジングとの間の摩擦を減らすよう構成されていないため、ピンを孔に挿入し難いという点である。
【先行技術文献】
【特許文献】
【００１５】
【特許文献１】米国特許出願公開第２０１２／０１０１５９０号
【特許文献２】米国特許第７，２６７，６９３号
【発明の概要】
【００１６】
本発明及びその特徴は独立請求項に記載しており、従属請求項には、本発明の他の特徴または主要発明概念の変形例を記載している。
【発明が解決しようとする課題】
【００１７】
本発明の目的は、特に人工股関節部に用いられ、ピンを挿入した後に傾斜が生じた場合でも、寛骨臼カップにインサートを挿入及びセンタリングしやすい人工寛骨臼を実現することにある。
【００１８】
出願人は、従来技術の欠点を解消し、上述及び他の目的及び利点を達成するため、本発明を創作、試験、実施した。
【課題を解決するための手段】
【００１９】
上述の目的に鑑みて、従来技術の限界を解消し、その欠点を排除する人工寛骨臼を提供する。
【００２０】
本発明に係る人工寛骨臼は、
寛骨臼カップと、
寛骨臼カップの内部に安定して連結されるとともに、大腿骨頭を受けるよう構成された寛骨臼インサートと、
寛骨臼カップに寛骨臼インサートの挿入および安定的な位置決めを案内するとともに中心合わせするよう構成されたセンタリングユニットとを有する。
【００２１】
センタリングユニットは、寛骨臼カップに形成されたセンタリング孔と、寛骨臼インサートに設けられ、センタリング軸心に沿って延伸し、センタリング孔に挿入されているセンタリングピンとを備える。
【００２２】
本発明によると、センタリングピンは、センタリング軸心に沿ってうねり延伸した形状を有する外側面を備え、当該外側面は少なくとも１つの凹部とそれに続く少なくとも１つの凸部とを備え、凹部が接続曲げ部によって凸部に連続して接続される。
【００２３】
本発明はまた、人工寛骨臼の寛骨臼カップの内部に安定して連結され、大腿骨頭を受けるよう構成された寛骨臼インサートに関する。
【００２４】
当該寛骨臼インサートは、センタリング軸心に沿って延伸しているセンタリングピンを有し、寛骨臼カップに寛骨臼インサートの挿入および安定的位置決めを案内するとともに中心合わせするよう構成されたセンタリングユニットを規定するように、センタリングピンが寛骨臼カップのセンタリング孔に挿入されているように構成されている。
【００２５】
本発明によると、センタリングピンは、センタリング軸心に沿ってうねり延伸した形状を有する外側面を備え、外側面は少なくとも１つの凹部とそれに続く少なくとも１つの凸部とを含み、凹部が接続曲げ部によって凸部に連続して接続される。
【００２６】
本開示の上述及び他の構成、特徴、利点は、以下の説明、図面、及び添付の請求の範囲からよりよく理解されるであろう。本願記載内容に組み込まれその一部を形成する図面は、本発明のいくつかの実施形態を示すもので、以下の説明と共に、本開示内容の原則を記載するものである。
【００２７】
本説明に記載される種々の構成及び特徴は、可能な場合、個々に適用することができる。これらの個々の構成、例えば添付の従属請求項に記載された構成及び特徴は、分割出願の対象にもなる。
【００２８】
特許出願手続き中に発見され、すでに公知である構成及び特徴は、請求対象とはならず、権利放棄の対象となることが理解される。
【図面の簡単な説明】
【００２９】
【図１】人工大腿骨に接合された本願に記載される実施例による人工寛骨臼の部分断面図である。
【図２】図１の拡大詳細図である。
【図３】本願に記載される実施例による人工寛骨臼の断面図である。
【図４】人工寛骨臼の別実施例の詳細である。
【図５】人工寛骨臼の別実施例の詳細である。
【図６】人工寛骨臼の別実施例の詳細である。
【図７】人工寛骨臼の別実施例の詳細である。
【図８】人工寛骨臼の別実施例の詳細である。
【発明を実施するための形態】
【００３０】
本発明の上述及びその他の特徴は、添付の図面を参照して以下に説明する非限定例である実施形態から明らかになるであろう。
【００３１】
理解を容易にするため、図面においては、可能な場合、同一の部材を示すものには同一の参照番号を用いている。ある実施例の部材及び特徴は、特にことわりのない限り他の実施例に援用できるものであることが理解されよう。
【００３２】
以下に本発明の種々の実施形態を詳細に説明するが、図面には少なくとも１つの実施例を示している。各実施例は、本発明を例示する目的のみで記載したものであり、発明を限定するものではない。例えば、１つの実施形態の一部として示したまたは記載した特徴は、他の実施形態に適用できる、または共通するものである。本発明が、そのようなあらゆる改変例及び変形例を含むものであることが理解されよう。
【００３３】
図１は、本発明による人工寛骨臼の実施形態を示している。本願発明に係る人工寛骨臼は、人工股関節部に用いられるものであり、寛骨臼カップ１２と寛骨臼インサート１１とを有志、この寛骨臼インサート１１は、寛骨臼カップ１２の内部に安定して連結されるとともに人工大腿骨５０または自然大腿骨の骨頭５１を受けるよう構成され、通常はほぼ球状である。
【００３４】
通常、人工寛骨臼１０は、例えば腸骨４０の寛骨臼４１の内部に挿入されているもので、大腿骨頭５１の位置決め及び回転座部として機能する。
【００３５】
例えば図３に示す実施例では、寛骨臼インサート１１はセンタリング軸心Ｘを中心にして軸対称となっている。通常、これに合わせて、寛骨臼カップ１２も同様に、寛骨臼インサート１１と共通のセンタリング軸心Ｘに対して対称となっている。
【００３６】
実施例では、寛骨臼インサート１１は、例えば大腿骨頭５１の動きによる摩耗に耐えられるよう硬度が高い材料でできている。適した材料の例として、例えば、クロム・コバルト・モリブデンなどのコバルトを主成分とする合金や、好ましくは高密度のまたは超高密度の網状組織を備えた生体適合性セラミックなどが挙げられる。
【００３７】
実施例では、寛骨臼カップ１２は、骨適合性金属材料、例えばチタンやコバルトなどの合金でできている。
【００３８】
寛骨臼カップ１２は通常寛骨臼４１内に収まるように構成されている。さらに、寛骨臼カップ１２の内部には寛骨臼インサート１１が挿入されているように構成されている。よって、寛骨臼カップ１２は外側が凸状であり内側が凹状であるのが一般的である。
【００３９】
実施例では、例えば、寛骨臼カップ１２は、寛骨臼４１によって規定される座部に沿う形状、例えば球状のキャップ形状を有する寛骨臼カップ外面２３を備えている。
【００４０】
さらに、寛骨臼インサート１１は寛骨臼カップ１２と円錐状に連結するよう構成されている。例えば、寛骨臼インサート１１は、少なくとも部分的に切頭円錐形状になっているインサート外面１３を備えていてもよい。インサート外面１３は、例えば、円錐台環状帯部１３ａと、この円錐台環状帯部１３ａの反対側に、円錐台環状帯部１３ａから延出するとともにインサートの中心域１７を形成するキャップ状部１３ｂとを含む。これに合わせて、寛骨臼カップ１２は、少なくとも部分的に切頭円錐形状であり、インサート外面１３に沿う寛骨臼カップ内面２４を備えている。寛骨臼カップ内面２４は、例えば、円錐台環状帯部２４ａと、この円錐台環状帯部２４ａの反対側に、円錐台環状帯部２４ａから延出するとともに寛骨臼カップ中心域３７を形成するキャップ状部２４ｂとを含む。通常、寛骨臼インサート１１の円錐台環状帯部１３ａと寛骨臼カップ１２の円錐台環状帯部２４ａとの間が円錐状に連結される。
【００４１】
さらに、寛骨臼インサート１１はその内部に大腿骨頭５１を受けるように構成されており、股関節の自然な回転運動を再生するよう必要な回転を可能にしている。例えば、実施例では、寛骨臼インサート１１は、大腿骨頭５１の形状に沿った球状キャップを実質的に規定するインサート内面１４を備えている。
【００４２】
ある実施形態では、人工寛骨臼１０は、寛骨臼カップ１２に寛骨臼インサート１１を案内するとともに挿入中心を合わせ、安定して位置決めするセンタリングユニット３３を有している。
【００４３】
図２は、本願に記載されるセンタリングユニット３３のあらゆる実施形態と組み合わせることのできる実施形態を示している。例えば、センタリングユニット３３は、センタリング軸心Ｘに沿って延伸するとともに寛骨臼インサート１１から突出したセンタリングピン１８を備え、センタリングピン１８は、特に、インサート外面１３から突出するとともに、例えば通常は寛骨臼インサート１１の中心域１７に対応して設けられている。ある実施形態では、センタリングユニット３３はまた、寛骨臼カップ１２に設けられるとともにセンタリングピン１８が挿入されているよう構成されるセンタリング孔２７を有しており、これは通常例えば寛骨臼カップ１２の中心域３７に対応して形成されている。ある実施例では、センタリング孔２７は隠し孔となっているため、内側、つまり寛骨臼カップ内面２４に形成されている。この場合、センタリング孔２７は、外側縁部３１を備えた側壁３２と底部３０によって規定される。他の実施例では、センタリング孔２７は貫通孔となっており、つまり寛骨臼カップ１２の厚み全体に亘って貫通していてもよい。
【００４４】
通常、センタリングピン１８は、寛骨臼インサート１１と寛骨臼カップ１２がセンタリングされて連結されると、センタリング孔２７の軸心と一致するセンタリング軸心Ｘに沿って延伸する。
【００４５】
本願に記載する実施形態によると、センタリングピン１８の外側面又はシェル２９は、センタリング軸心Ｘに沿ってうねり延伸した形状または輪郭を有している。
【００４６】
「うねり」という文言は、外側面又はシェル２９が、隆起部と陥没部を交互に備えてほぼ規則的に波状に延伸する形状を有していることを意味する。
【００４７】
特に、例示的実施例では、外側面又はシェル２９は、寛骨臼インサート１１から延出する少なくとも１つの陥没部または凹部１９を備えており、この後に少なくとも１つの隆起部または凸部２１が続く。
【００４８】
特に、凸部２１は軸方向で凹部１９に続き、特に、センタリングピン１８の軸方向にうねり延伸した形状を規定している。その結果、センタリングピン１８の断面は、軸方向の内側から外側に向かって、凹部−凸部延伸形状となるのである。換言すると、センタリングピン１８の断面は、インサート外面１３から外側に向かう凹部１９を形成する凹状断面と、それに続く、凸部２１を形成する凸状断面とを有する。従って凹部１９は寛骨臼インサート１１の中心にあり、凸部２１はその中心の反対側にある。
【００４９】
さらに、例示的実施例では、センタリングピン１８の断面の軸方向延伸形状または輪郭は、溝（凹部１９）に隆起（凸部２１）が続くうねりとなるよう形成されている。例示的実施例では、凹部１９は凸部２１に連続して接続されており、例えば接続曲げ部２０が形成することができる。曲げ部とは、屈曲点または強調屈曲部または湾曲部を意味し、特に、曲線が、曲げ部の一部から他の部分へ移る際に凹部から凸部に変化しあるいはその逆に変化する形状である。よって、本願の記載によると、センタリングピン１８は円錐形でも切頭円錐形でもない。
【００５０】
具体例では、外側面又はシェル２９は単一の陥没部または凹部１９と、センタリング軸心Ｘに沿って下流側に続く単一の隆起部または凸部２１とを備えている。
【００５１】
インサート外面１３に対して遠位のセンタリングピン１８の部分は接続上面２２を備えている。つまり、この上面２２は、センタリングピン１８の断面に対して、センタリング軸心Ｘを中心に、２つの凸部２１を片側から他側にわたって接続するほぼ直線の部分を形成している。例えば、上面２２は平坦であっても、円形であっても、曲線状であっても、傾斜面であっても、キノコ形状でも、他の形状であってもよい。
【００５２】
例えば図２に示す実施形態では、センタリングピン１８は、センタリング軸心Ｘに沿って、凹部／凸部延伸形状、つまり陥没部が少なくとも１回逆転した形状を有している。特に、図２の例からわかるように、凹部１９は中心域１７から突出して、いったん上部に向かって先細りになってから、その後曲げ部２０まで外側に広がり、そこで凹部から凸部に変化する。凸部２１は曲げ部２０から延伸して、常に軸方向に、つまり中心域１７から寛骨臼インサート１１の外側まで、まず広がってからその後先細りになって平坦面２２に至る。
【００５３】
さらに、図２に示す例では、センタリング孔２７は筒状、つまり、この場合は例えばセンタリング軸心Ｘに沿って一定の小径Ｒを有する円形断面を有している。
【００５４】
例えば図２に示す実施例では、センタリングピン１８の凸部２１は、全センタリングピン１８のうちで最も広い部分となる大径ｒｌを有している。寛骨臼インサート１１の大径ｒｌと寛骨臼カップ１２の小径Ｒの差は、半径Ｉにおいて最小差となっている。
【００５５】
半径Ｉにおける最小差は、センタリングユニット３３の案内及びセンタリング能力と相互関連する。
【００５６】
通常、半径Ｉにおける最小差が減少するほど、寛骨臼カップ１２における寛骨臼インサート１１の位置決めがより安定するため、寛骨臼カップ１２内において寛骨臼インサート１１が不適切に横滑りしたり、不都合に位置ずれしたり、遮られたりするのを防ぐことができる。
【００５７】
さらに、通常、減少または縮小径Ｉの最小差は、例えばセンタリングピン１８をセンタリング孔２７に挿入する第一段階において有利に働くが、これは、挿入中センタリングピン１８がセンタリング孔２７に沿って軸方向に進むにつれて、不適切な横滑りや位置ずれの可能性が徐々に減少するからである。
【００５８】
よって、センタリングピン１８の凹部／凸部形状によって、センタリングピン１８の上部において径Ｉの減少最小差を維持できるとともに、センタリングピン１８の下部において縮径となる小径ｒ２を形成することができる。センタリングピン１８の下部において縮径となる小径ｒ２によって、寛骨臼カップ内面２４にあるセンタリング孔２７の外側縁部３１とセンタリングピン１８の基部とが衝突する可能性が減少するという利点がある。また、センタリングピン１８の凹部／凸部形状によって、センタリングピンと中心域１７の間に鋭い縁部が存在しないため、欠損の可能性も減少する。半径ｒ２の凹部１９と半径ｒ１の凸部２１間の移行部は接続曲げ部２０によって規定される。
【００５９】
例えば４及び図５に示す実施例において、センタリング孔２７は切頭円錐形状になっている。例えば、センタリング孔２７の切頭円錐形状は、両図において、センタリング軸心Ｘに関し、寛骨臼カップ１２の内側から外側の方向で、図４の例のように先細りになっていてもよいし、図５の例のように先広がりになっていてもよい。
【００６０】
本願に記載される実施形態によると、凹部−凸部構成のセンタリングピン１８の形状によって、挿入時にセンタリングピン１８自体の表面が欠損する危険性が減少する。
【００６１】
実際、センタリングピン１８の曲線状またはうねり延伸形状は、センタリング孔２７の側壁３２がスライドしやすくなる接触面となるが、同時に、センタリングピン１８の上部において径Ｉにおける減少または縮小最小差があるため、センタリングユニット３３の案内効果は適切に維持される。
【００６２】
例えば図６に示す他の実施形態においては、センタリング孔２７は、センタリング軸心Ｘに沿って凸部−凹部形状、つまり陥没部が１回逆転した形状となっており、例えば、センタリングピン１８の凹部−凸部形状と正反対になっている。つまり、センタリング孔２７は、より内側への凸部３４とより外側への凹部３６を備えている。このために、例えばセンタリング孔２７の側壁３２は適切な波打ち形状となっている。特に、この場合、側壁３２の延伸形状は、寛骨臼カップ内面近傍に、小径Ｒまで狭まる凸部３４と、例えば陥没部が逆転する接続曲げ部３５によって広がる凹部３６を備えている。
【００６３】
例えば図６に示す実施形態の利点の１つは、径Ｉにおける最小差が維持されて、挿入開始部分では減少するとともに、外側縁部３１が傾斜する、またはなくなり、例えば凸部３４の表面のように、曲線状で角のない凸状面または傾斜面を形成する、ということである。このことにより、凹部１９においてセンタリングピン１８が狭くなることによって生じるのと同じ効果に加えて、欠損の可能性がさらに減少する。さらに、センタリングピン１８とセンタリング孔２７の両方にある曲線面が合わさることで、センタリング軸心に沿ってセンタリング孔２７の底部３０に向かってスライドしやすくなる。
【００６４】
他の例では、センタリング孔２７は曲線形状を有していてもよい。
【００６５】
例えば図７及び図８に示す他の実施形態では、センタリング孔２７はセンタリング軸心Ｘに沿った混合形状、つまり例えば筒状部と凹部または凸部によって形成される、直線と曲線が組み合わさった形状の断面を有している。
【００６６】
図７及び図８に示す例示的な実施形態は、筒状部に直線部分が存在するため、構造の簡素化が可能であるとともに、通常製造が容易である。さらに、いずれの場合も、上述の径Ｉにおける最小縮小差に関連する案内及びセンタリングの利点が維持される。
【００６７】
例えば図７の実施形態において、センタリング孔２７は、寛骨臼カップ１２の内側に向かう筒状部と、外側に向かう凹部とを有している。例えば、センタリング孔２７の側壁３２は、例えば接続曲げ部３５ａによって接続された筒状部３７ａと凹部３８ａを備えている。
【００６８】
例えば図８の実施形態において、センタリング孔２７は、寛骨臼カップ１２の内側に向かう凸部３７ｂと、外側に向かう筒状部３８ｂとを有している。例えば、センタリング孔２７の側壁３２は、例えば接続曲げ部３５ａによって接続された第１凸部３７ｂと第２筒状部３８ｂを備えている。この実施形態においても、曲線状で角のないまたは凸状の面のために外側縁部３１が傾斜しているあるいはなくなっているため、例えば図６に関して述べたように、欠損の可能性が減少する。
【００６９】
本発明の分野及び範囲から逸脱しない範囲で、上述した人工寛骨臼１０に、改変や追加を行ってもよいことは明確である。
【００７０】
また、本発明は特定の例に関連して記載されているが、当業者であれば当然、請求の範囲に記載する特徴を有するとともに請求の範囲によって限定される保護範囲内に入る他の多くの同等の形態の人工寛骨臼を提供することが可能であろう。
【図１】
2016518238.tif 000003
【図２】
2016518238.tif 000004
【図３】
2016518238.tif 000005
【図４】
2016518238.tif 000006
【図５】
2016518238.tif 000007
【図６】
2016518238.tif 000008
【図７】
2016518238.tif 000009
【図８】
2016518238.tif 000010
【国際調査報告】
2016518238.tif 000011
2016518238.tif 000012